(57)【特許請求の範囲】
【請求項１】
金属溶解炉から排出された排ガスを第１排出管路を介して導きダストを捕集するサイクロン、およびこのサイクロンから排出された排ガスを第２排出管路を介して導きさらにダストを捕集するバグフィルタを有する排ガス処理設備であって、
上記第１排出管路の途中に水噴霧ノズルを配置するとともに、当該水噴霧ノズルの下流側に外気導入管を接続し、
上記第２排出管路の途中に少なくともダイオキシンの吸着機能を有する薬剤を供給する薬剤供給管を接続し、
上記第１排出管路に設けられた各水噴霧ノズルからの噴霧水量を、金属溶解炉から排出される排ガス量および当該第１排出管路における排ガスの計測温度および設定温度に基づき制御する制御装置を設けるとともに、
この制御装置に、金属溶解炉に設けられた加熱用のバーナの燃料量および金属溶解炉の炉内頂部圧力に基づき上記排ガス量を演算により予測する排ガス量予測部を具備させたことを特徴とする排ガスの処理設備。
【請求項２】
水噴霧ノズルを、上流側に配置される第１水噴霧ノズルと下流側に配置される第２水噴霧ノズルとから構成したことを特徴とする請求項１に記載の排ガスの処理設備。
【請求項３】
制御装置に、
排ガス量予測部にて予測された排ガス量および第１排出管路における第１水噴霧ノズルの上流側位置での第１計測温度と下流側位置での第１設定温度との温度差に基づき第１水噴霧ノズルでの噴霧水量を演算する第１噴霧水量演算部と、
第１計測温度を入力するとともに当該第１計測温度が第１設定温度以下である場合には第１水噴霧ノズルからの水噴霧を行わず、第１計測温度が第１設定温度を超えて当該第１設定温度よりも高く設定された比較温度以下の範囲にある場合には、第１噴霧水量および設定された限界噴霧水量のうち、少ない噴霧水量でもって水噴霧を行い、第１計測温度が比較温度を超えている場合には、上記第１噴霧水量演算部で求められた噴霧水量でもって水噴霧を行う第１制御部と、
上記排ガス量予測部にて予測された排ガス量および第１排出管路における第２水噴霧ノズルの上流側位置での第２計測温度と上記第１設定温度よりも低く設定された下流側位置での第２設定温度との温度差に基づき第２水噴霧ノズルでの噴霧水量を演算する第２噴霧水量演算部と、
第２計測温度を入力するとともに当該第２計測温度が第２設定温度以下である場合には第２水噴霧ノズルから水噴霧を行わず、第２計測温度が第２設定温度を超えている場合には、上記第２噴霧水量演算部で求められた噴霧水量でもって水噴霧を行う第２制御部と
を具備させたことを特徴とする請求項２に記載の排ガスの処理設備。
【請求項４】
サイクロンで捕集されたダストを冷却する水槽を具備したことを特徴とする請求項２または３に記載の排ガスの処理設備。
【請求項５】
第１水噴霧ノズルより下流側の第１排出管路途中またはサイクロンの入口部に、ダストの発火抑制剤を供給する発火抑制剤供給管を接続したことを特徴とする請求項２乃至４のいずれか一項に記載の排ガスの処理設備。
【請求項６】
発火抑制剤として炭酸カルシウム粉末を用いるとともに、その供給量をダストに対して略３０％（質量％）以上としたことを特徴とする請求項５に記載の排ガスの処理設備。
【請求項７】
バグフィルタで捕集されたダストを第１排出管路途中に戻すダスト戻し管を設けたことを特徴とする請求項１乃至６のいずれか一項に記載の排ガスの処理設備。
【請求項８】
金属溶解炉から排出された排ガスを第１排出管路を介して導きダストを捕集するサイクロン、およびこのサイクロンから排出された排ガスを第２排出管路を介して導きさらにダストを捕集するバグフィルタを有する排ガス処理設備における排ガスの処理方法であって、
金属溶解炉から排出された排ガスを第１排出管路途中に上流側から下流側に向かって配置された第１水噴霧ノズルおよび第２水噴霧ノズルにより水を噴霧して減温させるとともに、上記第２水噴霧ノズルの下流側位置にて大気を供給してさらに減温させ、
次にこの減温された排ガスをサイクロンに導きダストを捕集し、
次に第２排出管路の排ガス中に少なくともダイオキシンの吸着機能を有する薬剤を供給した後、バグフィルタに導きダイオキシンを含むダストを捕集し、
且つ上記第１排出管路に設けられた各水噴霧ノズルからの噴霧水量を金属溶解炉から排出される排ガス量および当該第１排出管路における排ガスの計測温度および設定温度に基づき制御するとともに、
且つ上記排ガス量を、金属溶解炉に設けられた加熱用バーナの燃料量および金属溶解炉の炉内頂部圧力に基づき予測することを特徴とする排ガスの処理方法。
【請求項９】
サイクロンより上流側の第１排出管路またはサイクロンの入口部に、発火抑制剤を供給することを特徴とする請求項８に記載の排ガスの処理方法。
【請求項１０】
バグフィルタで捕集されたダストを第１排出管路途中に戻すことを特徴とする請求項８または９に記載の排ガスの処理方法。
【発明の詳細な説明】
【技術分野】
【０００１】
本発明は、燃焼式の金属溶解炉（例えば、シャフト炉）から排出されるダイオキシン、高発火性ダストなどを含む排ガスの処理設備および処理方法に関する。
【背景技術】
【０００２】
金属溶解炉は燃焼式のものと電気式のものとがある。燃焼式の代表としては、シャフト炉があり、溶解能力が大きいことから量産用の主力溶解炉として使用されている。近年、地球温暖化防止の観点からの要求もあって、銅の溶解鋳造の分野においてもエネルギー効率の高いシャフト炉が広く使用されている。
【０００３】
ところで、この金属溶解炉から排出される排ガス中にはダイオキシン類などの有害物質が含まれており、排ガス処理設備にてこれらを除去する必要がある。
この種の排ガス処理設備としては、例えば電気炉から排出される排ガス中の未燃分を燃焼させる２次燃焼炉、この２次燃焼炉から排出された排ガスを導き水を噴霧して冷却を行う冷却塔と、この冷却塔から出た排ガス中のダスト・有機成分などを除去する前段バグフィルタおよび後段バグフィルタと、これら両バグフィルタ間に配置されて排ガス中にダイオキシンの吸着剤を投入する吸着剤投入装置と、ダイオキシン・ダストなどが除去された排ガスを大気に放出する煙突とから構成されたものが提案されている（例えば、特許文献１参照）。
【０００４】
また、上述したように、排ガスを燃焼・加熱する２次燃焼方式ではバーナでの燃料が多量に必要となり、ランニングコストが嵩むことから、熱交換器を用いて２次燃焼後の排ガスから熱回収することによって２次燃焼炉に入る排ガスを予熱する方法、さらには２次燃焼炉で排ガスをバーナにより加熱する方法などが提案されている（特許文献２参照）。
【特許文献１】特開平１１−１８３０５１号公報
【特許文献２】特開平６−１１７７８０号公報
【発明の開示】
【発明が解決しようとする課題】
【０００５】
ところで、燃焼式の金属溶解炉から排出される排ガスを処理する場合には、上述した２次燃焼を伴う排ガス処理方法は採算性の点で得策ではない。しかしながら、このような排ガスを２次燃焼させずに冷却塔に導き冷却した後、バグフィルタにてダストを除去し、さらにダイオキシンを吸着して除去しようとすると、安定した処理ができなくなる。
【０００６】
例えば、銅溶解炉（シャフト炉）から排出される排ガスを処理する場合、排ガス中に、高濃度のダイオキシン類、および発火性の高いカーボンを主体とするダスト（つまり、発火性の高いダスト）が含まれることがあり、また（詳しくは後述するが）溶解炉の操業によって排ガスの流量および温度がともに大きく変動し、このため、下流側にて、ダイオキシンの再合成が生じやすく、さらにバグフィルタなどでダストが発火する惧れがあり、したがって安定した状態で排ガスを処理するのが困難になるという問題があった。
【０００７】
なお、ダイオキシンの再合成に関しては、銅溶解炉を出た排ガスが温度降下するに従い、銅溶解炉で気化した銅がカーボンを主体とするダストの表面に凝縮して、その触媒的作用によりダイオキシンを生成しやすい状況を作ることから、いかにして、排ガスの流量および温度の大きな変動に迅速に且つ的確に対処するかが問題になっている。
【０００８】
そこで、本発明は、流量および温度ともに変動が大きく且つダイオキシンおよび発火性の高いダストを含む金属溶解炉から排出される排ガスを安定してしかも迅速に且つ的確に処理し得る排ガスの処理設備および排ガスの処理方法を提供することを目的とする。
【課題を解決するための手段】
【０００９】
上記課題を解決するため、本発明の請求項１に係る排ガスの処理設備は、金属溶解炉から排出された排ガスを第１排出管路を介して導きダストを捕集するサイクロン、およびこのサイクロンから排出された排ガスを第２排出管路を介して導きさらにダストを捕集するバグフィルタを有する排ガス処理設備であって、
上記第１排出管路の途中に水噴霧ノズルを配置するとともに、当該水噴霧ノズルの下流側に外気導入管を接続し、
上記第２排出管路の途中に少なくともダイオキシンの吸着機能を有する薬剤を供給する薬剤供給管を接続し、
上記第１排出管路に設けられた各水噴霧ノズルからの噴霧水量を、金属溶解炉から排出される排ガス量および当該第１排出管路における排ガスの計測温度および設定温度に基づき制御する制御装置を設けるとともに、
この制御装置に、金属溶解炉に設けられた加熱用のバーナの燃料量および金属溶解炉の炉内頂部圧力に基づき上記排ガス量を演算により予測する排ガス量予測部を具備させたものである。
【００１０】
また、請求項２に係る排ガスの処理設備は、請求項１に記載の処理設備における水噴霧ノズルを、上流側に配置される第１水噴霧ノズルと下流側に配置される第２水噴霧ノズルとから構成したものである。
【００１１】
また、請求項３に係る排ガスの処理設備は、請求項２に記載の処理設備における制御装置に、
排ガス量予測部にて予測された排ガス量および第１排出管路における第１水噴霧ノズルの上流側位置での第１計測温度と下流側位置での第１設定温度との温度差に基づき第１水噴霧ノズルでの噴霧水量を演算する第１噴霧水量演算部と、
第１計測温度を入力するとともに当該第１計測温度が第１設定温度以下である場合には第１水噴霧ノズルからの水噴霧を行わず、第１計測温度が第１設定温度を超えて当該第１設定温度よりも高く設定された比較温度以下の範囲にある場合には、第１噴霧水量および設定された限界噴霧水量のうち、少ない噴霧水量でもって水噴霧を行い、第１計測温度が比較温度を超えている場合には、上記第１噴霧水量演算部で求められた噴霧水量でもって水噴霧を行う第１制御部と、
上記排ガス量予測部にて予測された排ガス量および第１排出管路における第２水噴霧ノズルの上流側位置での第２計測温度と上記第１設定温度よりも低く設定された下流側位置での第２設定温度との温度差に基づき第２水噴霧ノズルでの噴霧水量を演算する第２噴霧水量演算部と、
第２計測温度を入力するとともに当該第２計測温度が第２設定温度以下である場合には第２水噴霧ノズルから水噴霧を行わず、第２計測温度が第２設定温度を超えている場合には、上記第２噴霧水量演算部で求められた噴霧水量でもって水噴霧を行う第２制御部とを具備させたものである。
【００１２】
また、請求項４に係る排ガスの処理設備は、請求項２または３に記載の処理設備におけるサイクロンで捕集されたダストを冷却する水槽を具備したものである。
また、請求項５に係る排ガスの処理設備は、請求項２乃至４のいずれかに記載の処理設備における第１水噴霧ノズルより下流側の第１排出管路途中またはサイクロンの入口部に、ダストの発火抑制剤を供給する発火抑制剤供給管を接続したものである。
【００１３】
また、請求項６に係る排ガスの処理設備は、請求項５に記載の処理設備において、発火抑制剤として炭酸カルシウム粉末を用いるとともに、その供給量をダストに対して略３０％（質量％）以上としたものである。
【００１４】
また、請求項７に係る排ガスの処理設備は、請求項１乃至６のいずれかに記載の処理設備におけるバグフィルタで捕集されたダストを第１排出管路途中に戻すダスト戻し管を設けたものである。
【００１５】
また、請求項８に係る排ガスの処理方法は、金属溶解炉から排出された排ガスを第１排出管路を介して導きダストを捕集するサイクロン、およびこのサイクロンから排出された排ガスを第２排出管路を介して導きさらにダストを捕集するバグフィルタを有する排ガス処理設備における排ガスの処理方法であって、
金属溶解炉から排出された排ガスを第１排出管路途中に上流側から下流側に向かって配置された第１水噴霧ノズルおよび第２水噴霧ノズルにより水を噴霧して減温させるとともに、上記第２水噴霧ノズルの下流側位置にて大気を供給してさらに減温させ、
次にこの減温された排ガスをサイクロンに導きダストを捕集し、
次に第２排出管路の排ガス中に少なくともダイオキシンの吸着機能を有する薬剤を供給した後、バグフィルタに導きダイオキシンを含むダストを捕集し、
且つ上記第１排出管路に設けられた各水噴霧ノズルからの噴霧水量を金属溶解炉から排出される排ガス量および当該第１排出管路における排ガスの計測温度および設定温度に基づき制御するとともに、
且つ上記排ガス量を、金属溶解炉に設けられた加熱用バーナの燃料量および金属溶解炉の炉内頂部圧力に基づき予測する方法である。
【００１６】
また、請求項９に係る排ガスの処理方法は、請求項８に記載の処理方法において、サイクロンより上流側の第１排出管路またはサイクロンの入口部に、発火抑制剤を供給する方法である。
【００１７】
さらに、請求項１０に係る排ガスの処理方法は、請求項８または９に記載の処理方法において、バグフィルタで捕集されたダストを第１排出管路途中に戻す方法である。
【発明の効果】
【００１８】
上記排ガスの処理設備および処理方法によると、排ガスを第１排出管路で水噴霧により冷却する際に、噴霧水量を、金属溶解炉の運転状態を示す排ガス量、並びに排ガスの計測温度および設定温度に基づき求めるとともに、排ガス量については、バーナ燃料量および炉内頂部圧力に基づき求めるようにしたので、排ガスの流量および温度が大きく変動した場合でも、排ガスを、迅速に且つ的確に所定温度以下に減温することができ、したがってダイオキシンの二次生成を安定して抑制することができるとともに、サイクロンでの自然発火も防止してダイオキシンを含むダストを安全に捕集することができる。
【発明を実施するための最良の形態】
【００１９】
［実施の形態１］
以下、本発明の実施の形態１に係る排ガスの処理設備および排ガスの処理方法を、金属溶解炉、例えば銅の溶解炉で発生する排ガスの処理設備および処理方法として説明する。
【００２０】
ところで、銅の溶解炉で加熱用バーナ（例えば、ガスバーナが用いられる）により銅（原料）を溶解（溶融）して、主に電線などに利用されるタフピッチ銅を製造するプロセスでは、炉内の温度コントロールが難しく［具体的には、溶解した銅の排出量（出湯量）を一定にするために、原料投入時においてはバーナでの燃焼量がアップされるなどの温度の変動要因が大きいため］、また銅の酸化を抑えるために低酸素比で加熱用バーナを燃焼させるので、不完全燃焼によるカーボンやダイオキシンが生成しやすい。さらに、資源再利用の観点から銅原料として、被覆銅などの銅屑を用いる場合には、温度コントロールがさらに難しくなるとともに、カーボンやダイオキシンの生成量も多くなる。また、溶解炉で気化した銅の一部が排ガスの温度降下過程でカーボンダストの表面に凝縮し、この触媒的作用によりダイオキシンが二次生成しやすくなる。すなわち、溶解炉での排ガスは、加熱用バーナでの燃焼量の増減に伴い、常に流量、温度ともに変動しているとともに、その温度降下過程にてダイオキシンの二次生成がしやすくなっている。
【００２１】
このような前提条件を踏まえて、まず排ガスの処理設備について説明する。
この処理設備は、図１に示すように、銅の溶解炉１（例えば、シャフト炉である）から排出される排ガス［勿論、上述したように、流量、温度ともに変動が大きく、また高濃度のダイオキシンおよびカーボンを主体とするダスト（塵埃で、所謂、カーボンダストである）が含まれている］を第１排ガスダクト（第１排出管路）１１を介して排ガスの温度を低下させつつ導きダストを捕集（除去）するサイクロン２と、このサイクロン２から出た排ガスを第２排ガスダクト（第２排出管路）１２を介して導きさらに残存するダストを捕集（除去）するバグフィルタ３と、このバグフィルタ３から出た排ガス（ダイオキシン、ダストなどが除去されたもの）を誘引送風機４が設けられた第３排ガスダクト（第３排出管路ともいえる）１３を介して導き大気に放出するための煙突５とが具備されている。なお、溶解炉１の下部（なお、図１には、分かりやすいように溶解炉の上部に示している）には加熱用バーナ６が設けられている。
【００２２】
また、上記サイクロン２の底部には接続管７を介して水槽８が接続されており、当該サイクロン２で捕集されたダストを水槽８に導き冷却するようにされている。
さらに、上記第２排ガスダクト１２には、少なくともダイオキシンの吸着機能を有する、すなわちダイオキシンの吸着剤を含む薬剤（例えば、ダイオキシンの吸着剤にろ過助剤を混合したもの、つまりダイオキシンの吸着剤の機能およびろ過助剤の機能を併せ持つものが用いられている）を供給する薬剤供給管１５が接続されている。この薬剤としては、ダイオキシンの吸着剤の機能およびろ過助剤の機能を併せ持つもの（少なくともダイオキシンの吸着機能を有すものであればよい）が用いられる。また、ダイオキシンの吸着剤としては、活性白土、活性炭、またはこれらの混合物が用いられる。上記活性白土は発火性がなく、高発火性ダストの発火抑制に効果的である。勿論、薬剤供給管１５の先端には薬剤供給装置１６が配置されている。
【００２３】
そして、上記第１排ガスダクト１１の上壁部（ダクトが水平である場合には上壁部であるが、ダクトが鉛直である場合には側壁部となる）には、所定容量（適度な容量ともいえる）の水噴霧ノズルが複数個、例えば２個直列に配置され、且つそれぞれの噴霧水量が溶解炉１の運転状態に応じて（リンクして）供給されて、排ガスの温度が所定値以下になるように制御されている。
【００２４】
すなわち、第１排ガスダクト１１の上流側には第１水噴霧ノズル２１が配置されるとともに、その下流側には第２水噴霧ノズル２２が配置され、また第１水噴霧ノズル２１には途中に第１開閉弁２３が設けられた第１水供給管２４が接続されるとともに、第２水噴霧ノズル２２には、途中に第２開閉弁２５が設けられた第２水供給管２６が接続されている。
【００２５】
そして、上記両水噴霧ノズル２１，２２からの噴霧水量を調節（オン・オフも含む）するために各開閉弁２３，２５の開度を制御する制御装置２７が具備されている。
そして、制御を行うために、上記加熱用バーナ６における燃料量（以下、バーナ燃料量という）を検出する燃料量検出器３１、溶解炉１の頂部圧力（炉内頂部圧力、または炉頂圧ともいう）を計測する炉頂圧計測器３２、第１排ガスダクト１１における第１水噴霧ノズル２１の上流側および下流側並びに第２水噴霧ノズル２２の下流側にて排ガス温度を計測する第１温度計測器（Ｔｈ１）３３、第２温度計測器（Ｔｈ２）３４および第３温度計測器（Ｔｈ３）３５が具備されるとともに、これらの計測機器（検出器、計測器）３１〜３５からの検出値および計測値は制御装置２７にそれぞれ入力されている。
【００２６】
そして、本発明に係る水噴霧の制御を簡単に言うと、溶解炉１から排出される排ガス量（流量）および温度がランダムに変動しており、これらの変動に迅速且つ的確に対処して、第１排ガスダクト１１の下流側（つまり、サイクロンの入口近傍）での排ガス温度が所定値以下となるように、第１排ガスダクト１１に配置される第１水噴霧ノズル２１および第２水噴霧ノズル２２での噴霧水量を、フィードフォワード制御およびフィードバック制御に基づき制御するようにしたものである。
【００２７】
ここで、制御装置２７について説明する。
この制御装置２７は、溶解炉１の運転状態（バーナ燃料量および炉内頂部圧力）から予測した排ガス量および計測した排ガス温度に基づき、第１排ガスダクト１１に設けられた第１水噴霧ノズル２１および第２水噴霧ノズル２２それぞれの噴霧水量を自動制御するためのもので、図２に示すように、排ガス量をバーナ燃料量ｑおよび炉内頂部圧力ｐに基づき排ガス量Ｑを演算により予測する排ガス量予測部４１と、この排ガス量予測部４１にて予測された排ガス量Ｑおよび第１排ガスダクト１１における第１水噴霧ノズル２１の上流側位置における排ガスの第１計測温度Ｔ１Ｐと同じくその下流側位置における排ガスの第１設定温度Ｔ２Ｓとの温度差つまり偏差（Ｔ１Ｐ−Ｔ２Ｓ）に基づき第１水噴霧ノズル２１から噴霧される第１基準噴霧水量Ｇ１を演算する第１噴霧水量演算部５１と、第１排ガスダクト１１における第１水噴霧ノズル２１の下流側位置における排ガスの第２計測温度Ｔ２Ｐおよび下流側位置における排ガスの第１設定温度Ｔ２Ｓを入力して温度差つまり偏差（Ｔ２Ｐ−Ｔ２Ｓ）を求める第１減算部５２と、この第１減算部５２で求められた偏差を入力するとともに所定の補正量演算式（後述する）により第１水噴霧ノズル２１での第１補正噴霧水量ΔＧ１を演算する第１補正量演算部５３と、この第１補正量演算部５３で求められた第１補正噴霧水量ΔＧ１および第１噴霧水量演算部５１で求められた第１基準噴霧水量Ｇ１を入力するとともに両者を加算して第１噴霧水量（第１実噴霧水量ともいえる）Ｇ１′を求める第１加算部５４と、この第１加算部５４で求められた第１噴霧水量Ｇ１′を入力して第１水噴霧ノズル２１に接続された第１水供給管２４に設けられた第１開閉弁２３の弁開度を制御する、つまり開度指令を出力する第１制御部５５と、上記排ガス量予測部４１にて予測された排ガス量Ｑおよび第１排ガスダクト１１における第２水噴霧ノズル２２の上流側位置における排ガスの第２計測温度Ｔ２Ｐとその下流側位置における排ガスの第２設定温度Ｔ３Ｓとの温度差つまり偏差（Ｔ２Ｐ−Ｔ３Ｓ）に基づき第２水噴霧ノズル２２から噴霧される第２基準噴霧水量Ｇ２を演算する第２噴霧水量演算部６１と、第１排ガスダクト１１における第２水噴霧ノズル２２の下流側位置における排ガスの第３計測温度Ｔ３Ｐおよび下流側位置における排ガスの第２設定温度Ｔ３Ｓを入力して温度差つまり偏差（Ｔ３Ｐ−Ｔ３Ｓ）を求める第２減算部６２と、この第２減算部６２で求められた偏差を入力するとともに所定の補正量演算式（後述する）により第２水噴霧ノズル２２での第２補正噴霧水量ΔＧ２を演算する第２補正量演算部６３と、この第２補正量演算部６３で求められた第２補正噴霧水量ΔＧ２および第２噴霧水量演算部６１で求められた第２基準噴霧水量Ｇ２を入力するとともに両者を加算して第２噴霧水量（第２実噴霧水量ともいえる）Ｇ２′を求める第２加算部６４と、この第２加算部６４で求められた第２噴霧水量Ｇ２′を入力して第２水噴霧ノズル２２に接続された第２水供給管２６に設けられた第２開閉弁２５の弁開度を制御する、つまり開度指令を出力する第２制御部６５とが具備されている。
【００２８】
ここで、上記各制御部５５，６５について詳しく説明する。
これら各制御部５５，６５においては、上述したように、第１排ガスダクト１１の第２水噴霧ノズル２２の上流側および下流側位置における第１設定温度Ｔ２Ｓおよび第２設定温度Ｔ３Ｓの他に、この第１設定温度Ｔ２Ｓよりも少し高い比較温度ＴＲ、および第１設定温度Ｔ２Ｓと比較温度ＴＲとの間の温度域において、第１水噴霧ノズル２１から噴射される第１噴霧水量の上限値として限界噴霧水量Ｇ１Ｌを必要とするため、これらの具体的な数値（勿論、例示である）について説明しておく。なお、第１設定温度Ｔ２Ｓおよび第２設定温度Ｔ３Ｓは、溶解炉１における予想される最大の排ガス量および最高温度の条件で、サイクロン２の入口側での排ガスの温度が２５０℃となるように求められる第１噴霧ノズル２１および第２噴霧ノズル２２での噴霧水量から決められる。勿論、これらの噴霧水量は、ダクト１１内で噴射された場合、完全蒸発し得る値である。また、比較温度ＴＲは、上記のように決められる噴霧水量ではあるが、溶解炉１の操業状態によっては、排ガスの流量および温度が大きく変化し、例えばバーナ燃料量が少ないとき、つまり燃焼ガスが少ないとき、原料の供給口などから外気が漏れ込むことで、溶解炉１からの排ガスに、その流量が多い割りには温度が高くないという状態が起こり得るので、このような場合に備えて第１噴霧ノズル２１での噴霧水量を抑えるために、第１設定温度Ｔ２Ｓよりも少し高い温度（例えば、１割程度）が設けられた（設定された）ものである。
【００２９】
第１設定温度Ｔ２Ｓとしては３２０℃に、第２設定温度Ｔ３Ｓとしては２５０℃に、また比較温度ＴＲとしては上記第１設定温度Ｔ２Ｓよりも少し高い３５０℃にされている。
ところで、限界噴霧水量Ｇ１Ｌを設けたのは、上述したように、第１水噴霧ノズル２１からの噴霧水量が多すぎた場合、第１排ガスダクト１１内が濡れてしまうので、第１計測温度Ｔ１Ｐがあまり高くない場合には、すなわち第１計測温度Ｔ１Ｐが第１設定温度Ｔ２Ｓと比較温度ＴＲとの間（３２０〜３５０℃の範囲）にある場合でしかも排ガス量が多い場合には、演算による噴霧水量が多くなって完全に蒸発し得ない事態が生じる、つまり第１排ガスダクト１１内が濡れる惧れが生じるからである。
【００３０】
これらの設定温度および限界噴霧水量を踏まえて、以下、各制御部５５，６５について説明する。
すなわち、第１制御部５５においては、第１計測温度Ｔ１Ｐおよび第１設定温度Ｔ２Ｓが入力されるとともに、第１計測温度Ｔ１Ｐが第１設定温度Ｔ２Ｓ（３２０℃）以下である場合には、第１開閉弁２３には開度指令は出力されず、また第１計測温度Ｔ１Ｐが第１設定温度Ｔ２Ｓ（３２０℃）を超えて比較温度ＴＲ（３５０℃）以下の範囲にある場合には、第１噴霧水量Ｇ１′および限界噴霧水量Ｇ１Ｌのうち、少ない方を噴霧水量として出力するようにされ、一方、第１計測温度Ｔ１Ｐが比較温度ＴＲを超えている場合には、第１噴霧水量Ｇ１′をそのまま出力するようにされている。
【００３１】
また、第２制御部６５においては、第２計測温度Ｔ２Ｐおよび第２設定温度Ｔ３Ｓ（２５０℃）が入力されるとともに、当該第２計測温度Ｔ２Ｐが第２設定温度Ｔ３Ｓ以下である場合には、第２開閉弁２５には開度指令は出力されず、第２設定温度Ｔ３Ｓを超えている場合には、第２噴霧水量Ｇ２′をそのまま出力するようにされている。
【００３２】
なお、上記の説明においては、各制御部５５，６５に設定温度Ｔ２Ｓ，Ｔ３Ｓを入力するようにしたが、各制御部５５，５６に予め記憶させておいてもよい。
次に、上記排ガス量予測部４１および各補正量演算部５３，６３での演算式、つまり排ガス量演算式、噴霧水量演算式および補正量演算式について説明する。
【００３３】
排ガス量予測部４１において、排ガス量Ｑは下記（１）式にて求められる。
Ｑ＝Ｑ１＋Ｑ２・・・（１）
但し、Ｑ１＝Ｋ１・ｑ，Ｑ２＝Ｋ２・abs（ｐ）＾ａであり、
またｑは溶解炉でのバーナ燃料量、ｐは炉内頂部圧力、Ｋ１およびＫ２は定数、abs（ｐ）はｐの絶対値、ａは指数（概ね「１」であるが、実際の運転時に調整される）である。
【００３４】
各水噴霧ノズル２１，２２から噴射される噴霧水量Ｇ１，Ｇ２は下記（２）式および（３）式にて求められる。
Ｇ１＝Ｑ・Ｃｐ・（Ｔ１Ｐ−Ｔ２Ｓ）／（Ｔ２Ｓ・Ｃｐ・２２．４／１８＋６００）・・・（２）
但し、（２）式中；
Ｃｐは排ガスの平均定圧比熱、Ｔ１Ｐは第１水噴霧ノズルの上流側（噴霧個所前方）における排ガスの第１計測温度（第１温度計測器による計測値）、Ｔ２Ｓは第１水噴霧ノズルの下流側（噴霧個所後方）での第１設定温度である。
【００３５】
Ｇ２＝Ｑ・Ｃｐ・（Ｔ２Ｐ−Ｔ３Ｓ）／（Ｔ３Ｓ・Ｃｐ・２２．４／１８＋６００）・・・（３）
但し、（３）式中；
Ｃｐは排ガスの平均定圧比熱、Ｔ２Ｐは第２水噴霧ノズルの上流側（噴霧箇所前方）における排ガスの第２計測温度（第２温度計測器による計測値）、Ｔ３Ｓは第２噴霧ノズルの下流側（噴霧箇所後方）での第２設定温度である。
【００３６】
排ガス温度の設定値は以下に示す考えに基づき設定される。
すなわち、ダイオキシン類の再合成を抑えるために、水噴霧と外気（大気）の吸引混合とを経て排ガス温度を最終的に１５０℃以下とする。
【００３７】
そして、水噴霧によって得られる排ガスの設定温度（Ｔ２Ｓ，Ｔ３Ｓ）は、予想される排ガス条件（流量、温度ともに大きく変動）と排ガスダクト（内径、長さなど）から、ダクト内壁を濡らすことなく噴霧し得る水量（シミュレーション結果による）に基づき決定される。
【００３８】
本実施の形態では、例えば計測温度Ｔ１Ｐの予想最大値は４００℃であり、上述したように、第１設定温度Ｔ２Ｓは３２０℃、第２設定温度Ｔ３Ｓは２５０℃にされる。
次に、各補正量演算部５３，６３での演算式について説明する。
【００３９】
各補正噴霧水量ΔＧ１，ΔＧ２は、各水噴霧ノズル２１，２２の下流側における排ガスの計測温度と下流側での設定温度との偏差に基づき決定され、第１補正量演算部５３では下記（４）式により、また第２補正量演算部６３では下記（５）式により求められる。
【００４０】
ΔＧ１＝Ｋ３（Ｔ２Ｓ−Ｔ２Ｐ）・・・（４）
ΔＧ２＝Ｋ４（Ｔ３Ｓ−Ｔ３Ｐ）・・・（５）
但し、Ｋ３およびＫ４はゲイン定数である。
【００４１】
なお、上記第１排ガスダクト１１に配置される各水噴霧ノズル２１，２２は、圧縮空気を用いて多量の水を噴霧するように構成されており（所謂、二流体噴霧）、噴霧水が速やかに蒸発するように考慮されている。
【００４２】
また、溶解炉１では、出湯量に応じて加熱用バーナの燃料量が自動抑制され、また炉頂に向かう燃焼ガスが原料を予熱するように構成されており、さらに当該溶解炉１は、炉頂に至る途中で外気が入り込む（洩れ込むともいう）構造にされており、これらの要因により、溶解炉１を出る排ガスは流量および温度ともにランダムに大きく変動している。
【００４３】
次に、上述した処理設備における排ガスの処理方法を概略的に説明する。
まず、溶解炉１において、加熱用バーナにて銅が多く含まれた基板や銅を含む産業廃棄物が溶融されて銅が取り出され（銅の溶解が行われる）、このとき発生した排ガスが第１排ガスダクト１１を介してサイクロン２に導かれる。サイクロン２に導かれる排ガスは、第１および第２水噴霧ノズル２１，２２からの水噴霧および外気導入ダクト１４からの外気導入により１００〜１５０℃程度に減温される。
【００４４】
上述したように、溶解炉１で発生した排ガスには、高濃度のダイオキシンおよび発火性の高いカーボンを主体とするダストが含まれるとともに、その流量および温度の変動が大きいものである。
【００４５】
そして、第１排ガスダクト１１においては、流入する排ガスの流量および温度に応じた冷却水が噴霧されることにより、急激に排ガスの温度が低下するとともに、続く外気導入ダクト１４から導入された外気の導入すなわち外気の吸引混合によってさらに排ガス温度が低下する。
【００４６】
この排ガスは、最終的には１００〜１５０℃程度にまで減温された後、サイクロン２に導かれる。
サイクロン２では、排ガス中の発火性の強いダストの粗捕集が行われる。捕集したダストは接続管７を介して水槽８に導かれて急冷される。水槽８を用いない場合には、密閉容器にて受けられる。
【００４７】
そして、サイクロン２を出た排ガスは、第２排ガスダクト１２の途中で、薬剤供給管１５よりダイオキシンの吸着剤を含む薬剤が供給されて、ダイオキシンのダストへの吸着が効率的に行われた後、バグフィルタ３にてダストが捕集される。すなわち、サイクロン２によるダストの粗捕集と、薬剤供給管１５からのダイオキシンの吸着剤を含む薬剤の供給により、下流側に設けられたバグフィルタ３でのダストの細捕集（サイクロンの粗捕集より細かいダストの捕集）により、ダイオキシン除去が効率的に行われることになる。
【００４８】
なお、ダイオキシンの吸着剤としては、活性白土、活性炭、またはこれらの混合物が用いられる。上記活性白土は発火性がなく、高発火性ダストの発火抑制に効果的である。
また、バグフィルタ３の運転温度は、結露する惧れのない程度に、できるだけ低く設定されており（例えば、１００〜１５０℃程度）、高発火性ダストが堆積して酸化または蓄熱して発火する惧れはない。
【００４９】
このように、流量および温度ともに変動が大きい溶解炉１からの排ガスを、当該溶解炉１の運転状態から予測した排ガス量と計測した排ガス温度から必要な噴霧水量を求めて効率的（合理的）な減温を行うとともに、引き続いて外気を吸引混合して排ガスを充分に低い温度（１００〜１５０℃）まで低下させるようにしているので、ダイオキシンの二次生成を抑制し、併せて、それ以降でのダストの自然発火を防止することができる。また、サイクロン２では、その捕集ダストを直接に接続管７を介して水槽８に投入するようにしているので、たとえ排ガスが高温の状態にてサイクロン２に導入された場合でも、ダストの発火を確実に防止することができる。
【００５０】
簡単に言えば、溶解炉１における運転状態、すなわちバーナの燃料量および溶解炉１の頂部圧力に基づき排ガス量の変化を常に予測しながら、排ガス温度の設定温度（目標温度でもある）に対する偏差でもって、各水噴霧ノズル２１，２２における必要な噴霧水量を演算しつつ、排ガス温度を当該設定温度に近づけるように制御が行われる。
【００５１】
別な言い方をすれば、溶解炉１の運転状態（運転データまたはプロセスデータともいえる）に基づき、排ガス量の変化を常に予測しながら第１水噴霧ノズル２１を「主」にするとともに第２水噴霧ノズル２２を「従」として、それぞれの噴霧水量を調節することにより、排ガスの減温を迅速に且つ確実にしかも安定して行うことができる。
【００５２】
また、第２水噴霧ノズル２２を通過した排ガス中に、外気導入ダクト１４から外気を吸引混合することによって、排ガス温度を十分に低くし得るとともに下流のサイクロン２におけるダストの慣性分離を安定して行わせることができる。なお、この慣性分離を安定して行い得るという意味は、排ガスの流量が大きく変動すると、サイクロンでのダストの慣性力による分離性能つまり除去性能が変動するが、外気を導入してダストにある程度以上の慣性力を作用させることにより、つまり、排ガス流量と同程度の外気を導入してダクト内の排ガス流量をサイクロンでの慣性分離に必要な流量にさせることにより、除去性能が安定するということである。
【００５３】
より具体的に説明すると、入口側の排ガスの第１計測温度（Ｔ１Ｐ）が第１設定温度（Ｔ２Ｓ，３２０℃）を超えるとともにそれよりも少し高い比較温度（ＴＲ，３５０℃）以下の範囲にある場合には、第１水噴霧ノズル２１からの第１噴霧水量Ｇ１′により第１設定温度に近づけられるが、噴霧水量が蒸発負荷の限界噴霧水量（これを超えるとダクト壁面を濡らす惧れがある噴霧水量である）を上回る惧れがあるため、第１水噴霧ノズル２１からの噴霧水量を限界噴霧水量に抑えるとともに、第２水噴霧ノズル２２からの第２噴霧水量Ｇ２′により、その不足分が補われることになる。これに対し、入口側の排ガスの第１計測温度（Ｔ１Ｐ）が比較温度（ＴＲ，３５０℃）を超える場合には、ダクト壁面を濡らす惧れがなくなるため、両水噴霧ノズル２１，２２から、演算により求められた、第１噴霧水量Ｇ１′および第２噴霧水量Ｇ２′が噴射される。
【００５４】
そして、ダクトのような空間においては、水の噴霧だけで充分に低い温度（例えば、１５０℃以下）を得ることは難しいので、第２噴霧ノズル２２を通過した排ガス中に外気導入ダクト１４から外気が吸引混合される。
【００５５】
このようにして、溶解炉１の運転状態に拘わらず、排ガスを安定して充分に低い温度にまで低下させることができる。また、排ガス量が少ない場合でも、外気の吸引混合によって下流のサイクロン２において安定したダストの慣性分離を維持することができる。
【００５６】
また、上述したように、第１水噴霧ノズル２１および第２水噴霧ノズル２２より水を噴霧する際に、圧縮空気を用いるのは、水つまり冷却水を微細な水滴として流量および温度が大きく変動する排ガス中に噴霧して冷却水の完全蒸発を図るためである。もし、排ガスに微細な水滴（ミスト）が同伴されると、この水滴により発火性の高いまた触媒作用のあるダストがダクトや機器に付着し、長時間滞留することになり、したがってダイオキシンの二次生成や場合によっては発火を引き起こす惧れが生じる。
［実施の形態２］
次に、本発明の実施の形態２に係る排ガスの処理設備および排ガスの処理方法について説明する。
【００５７】
上記実施の形態１においては、第１排ガスダクト１１に外気導入ダクト１４を接続して外気だけを供給するようにしたが、外気とともに発火抑制剤を供給するようにしてもよく、さらにバグフィルタ３にて捕集されたダストをサイクロン２の入口側に戻すようにしてもよい。
【００５８】
すなわち、本実施の形態２に係る排ガスの処理設備は、図１の仮想線にて示すように、実施の形態１にて説明した処理設備の第１排ガスダクト１１に、発火抑制剤を供給する発火抑制剤供給管７１を接続するとともに、バグフィルタ３にて捕集されたダストをサイクロン２の入口側の第１排ガスダクト１１に戻すためのダスト戻し経路すなわちダスト戻し管７２を設けたものである。勿論、発火抑制剤供給管７１の先端には発火抑制剤供給装置７３が配置されている。なお、第１排ガスダクト１１に発火抑制剤を供給する替わりに、サイクロン２の入口部に発火抑制剤を供給するようにしてもよい。
【００５９】
ところで、上記発火抑制剤としては、例えば炭酸カルシウム粉末などが用いられるとともに、その供給量は、ダストの量に対して略３０質量％（以下、「％」と記載する）以上、さらに好ましくは３０％程度にされる。
【００６０】
ここで、本実施の形態２に係る排ガスの処理方法を用いた場合の具体的な効果について説明しておく。
溶解炉１から排出された排ガス中のダイオキシンの濃度が、例えば数ng-TEQ／m3N〜数１０ng-TEQ／m3Nであったのが、バグフィルタ３の出口では、０．３５ng-TEQ／m3Nとなり、高い除去性能が得られていることが分かった。
【００６１】
なお、このとき使用されたダイオキシンの吸着剤の組成は、２０％活性炭＋２０％活性白土＋６０％珪藻土・パーライトであり、その供給量は、活性炭と活性白土との合計で、１５０mg/m3N相当量であった。
【００６２】
ここで、ダストに対する発火抑制剤の効果について、試料の保持時間とその温度との関係を示す図３のグラフに基づき説明しておく（実験は２回行った）。
図３（ａ）はダスト（灰）に対して炭酸カルシウム（CaCO３）を３０％添加した場合を示し（１回目と２回目とも略同じ値であるため、グラフでは１本の線で示している）、図３（ｂ）はダスト（灰）に対して活性白土にろ過助剤を加えた混合物を３０％添加した場合を示し（１回目と２回目とも略同じ値であるため、グラフでは１本の線で示す）、図３（ｃ）は比較のために、発火抑制剤を添加しない場合すなわちダスト（灰）だけの場合を示す。また、図３（ａ）のグラフには示していないが、炭酸カルシウムを４０％添加した場合は、３０％添加した場合と同様であった。図３の（ａ）および（ｂ）においては、炭酸カルシウムまたは混合物を２０％添加した場合も示しておく。これについては、温度上昇が見られ発火の惧れがある。なお、図３（ａ）における炭酸カルシウムを２０％添加したものについては、１回だけの結果を示している。
【００６３】
図３から分かるように、炭酸カルシウムを３０％以上添加した場合、および混合物を３０％以上添加した場合には、保持時間に拘わらず、試料の温度が上昇していないのが良く分かる。つまり、ダストの発火性が抑制されていることが分かる。
【００６４】
なお、ここで用いた発火試験装置は、島津製作所製（自然発火試験装置ＳＩＴ２）のもので、簡単に言えば、断熱状態における試料の温度上昇を測定する装置である。断熱室内の温度は、試料の温度と等しくなるように制御されており、試料は擬似的に断熱状態に保たれており、このような条件下では、試料自身の酸化発熱が蓄積されて、温度上昇（＝自然発火）として測定される。
【００６５】
このように、排ガス中に発火抑制剤を供給する（吹き込む）ことによって、サイクロン２で捕集されたダストの発火を確実に抑制（防止）することができる。
また、バグフィルタ３にて捕集されたダストの全量をサイクロン２の入口側に戻すことにより、発火抑制剤のランニングコストの低減化を図り得るとともに、捕集ダストのハンドリングに関わる設備とその運転を簡素化することができる。なお、ダストを戻すことは、バグフィルタ３の上流側で供給されるダイオキシン吸着剤として活性白土のような不燃物を使用する場合には、サイクロン捕集ダスト中の可燃物割合を下げるという意味で、好都合である。
【００６６】
さらに、ダスト（灰）に炭酸カルシウム（CaCO３）と活性白土にろ過助剤を加えてなる混合物とを混合させることにより、その安息角を低減することができ、すなわちブリッジなどによるダストの堆積を改善できるとともに発火防止を期待し得る。
【図面の簡単な説明】
【００６７】
【図１】本発明の実施の形態１および２に係る排ガスの処理設備の概略構成を示すブロック図である。
【図２】同処理設備における制御器の概略構成を示すブロック図である。
【図３】同実施の形態２に係る排ガスの処理方法における発火抑制剤の効果を示すグラフで、（ａ）および（ｂ）は本発明に係るもので、（ｃ）は比較のためのものである。
【符号の説明】
【００６８】
１      溶解炉
２      サイクロン
３      バグフィルタ
８      水槽
１１      第１排ガスダクト
１２      第２排ガスダクト
１４      外気導入ダクト
１５      薬剤供給管
２１      第１水噴霧ノズル
２２      第２水噴霧ノズル
２３      第１開閉弁
２４      第１水供給管
２５      第２開閉弁
２６      第２水供給管
２７      制御装置
３１      燃料量検出器
３２      炉頂圧検出器
３３      第１温度計測器
３４      第２温度計測器
３５      第３温度計測器
４１      排ガス量予測部
５１      第１噴霧水量演算部
５２      第１減算部
５３      第１補正量演算部
５４      第１加算部
５５      第１制御部
６１      第２噴霧水量演算部
６２      第２減算部
６３      第２補正量演算部
６４      第２加算部
６５      第２制御部
７１      発火抑制剤供給管
７２      ダスト戻し管
７３      発火抑制剤供給装置
【図１】
0005019327.tif 000002
【図２】
0005019327.tif 000003
【図３】
0005019327.tif 000004